(57)【特許請求の範囲】
【請求項１】
電線がそれぞれ接続された複数の端子をそれぞれ収容する複数の端子収容部が並べて形成されたハウジングを有し、
前記端子は、前記電線が一端に圧着接続される圧着部を有する板状部と、該板状部の他端部に相手端子が接触される接点部とを有して形成され、
前記ハウジングは、複数の前記電線がそれぞれ引き出される複数の前記端子収容部の開口位置のハウジング側面に、前記端子の前記板状部の延在方向と交差する方向に張り出して複数の前記電線を結束して保持する電線保持部材が形成され、
前記端子収容部は、それぞれ前記電線保持部材側に位置された内壁面を有し、該内壁面に前記端子の前記板状部の前記電線の背面側が接して配置され、前記端子を挟んで前記内壁面の反対側の壁面に支持され、前記端子に係合して抜け止めする弾性を有するランスを有してなり、
前記端子に接続された前記電線は、前記端子収容部の開口から前記端子の前記板状部の延在方向に沿って引き出され、前記電線保持部材の方向に折り曲げて配索されていることを特徴とするコネクタ。
【請求項２】
前記電線保持部材は、長手方向に前記電線が配索された状態で、円筒状のコルゲートチューブが被せられ、前記コルゲートチューブの内周面は、環状の山部と環状の谷部とが軸方向に交互に形成されてなり、
前記電線保持部材は、長手方向と直交する断面が半円弧状に形成され、その先端部には幅方向の両側縁から突出する係止突起が設けられ、
前記係止突起は、前記コルゲートチューブの前記谷部と係合可能に形成されてなる請求項１に記載のコネクタ。
【請求項３】
前記係止突起は、前記ハウジングと反対側の側面に、該係止突起の突出する先端側を窄ませる斜面部が形成されてなる請求項２に記載のコネクタ。
【請求項４】
前記ハウジングは、前記電線が引き出される開口端の周縁に段部が突出して設けられ、
前記段部は、前記開口端よりも下方に位置されたときは、該段部の上方に位置する段部側面に第１の傾斜面が形成され、該第１の傾斜面は、該傾斜面の一端に向かって下方に傾斜してなる請求項１乃至３のいずれかに記載のコネクタ。
【請求項５】
前記電線保持部材は、前記ハウジングの前記電線が引き出される開口端が形成された面から立ち上げられる基端部と、該基端部から前記端子の前記板状部の延在方向と交差する方向に延出する配索部とを有して形成され、
前記配索部を水平方向に向けたとき、前記基端部の上方に位置する前記ハウジングの側面に第２の傾斜面が形成され、該第２の傾斜面は、該傾斜面の一端に向かって下方に傾斜してなる請求項１乃至４のいずれかに記載のコネクタ。
【発明の詳細な説明】
【技術分野】
【０００１】
本発明は、コネクタに係り、特にコネクタハウジングに収容される端子に接続された電線を保持するための電線保持部材を備えたコネクタに関する。
【背景技術】
【０００２】
従来から、自動車には多くの電子機器が搭載されており、これらの電子機器には電力や電気信号等を伝えるためのワイヤーハーネスが接続されている。このワイヤーハーネスは、複数の電線と、これらの電線の端末に取り付けられたコネクタとを有している。コネクタは、各電線の端末に接続される端子と、これらの端子の収容部が形成されたハウジングとを有している。
【０００３】
図１０に示すように、この種のコネクタは、ハウジング８０の背面側のハウジング端面８１に、端子収容部８２の開口端８３が形成される。端子８４の長手方向には、板状部材８５が形成され、この板状部材８５に電線８６の端末が圧着される。電線８６が接続された端子８４は、開口端８３から端子収容部８２に挿入され、端子収容部８２のランス８７によって抜け止めがなされ、板状部材８５の背面が端子収容部８２の内壁面８８と接して収容される。それぞれの開口端８３から引き出された電線８６は、所定の方向に折り曲げられ、粘着テープ等の結束具８９により１本の電線束９０に束ねられる。
【０００４】
電線束９０は、ハウジング８０のハウジング端面８１側に位置されてハウジング８０の側面部９１から端子収容部８２とほぼ直交する方向に張り出して形成された電線保持部材９２に配索される。電線保持部材９２に配索された電線束９０は、図示しない結束具により電線保持部材９２に巻き付けられて固定される（例えば、特許文献１参照）。
【先行技術文献】
【特許文献】
【０００５】
【特許文献１】特開２００４−３４９０２３号公報
【発明の概要】
【発明が解決しようとする課題】
【０００６】
ところで、この種のコネクタは、コネクタを小型化するために、電線保持部材の配索面とハウジング端面との距離が小さく設定されている。このため、コネクタの開口端から抜き出された電線は、配索時に大きく湾曲される。この湾曲により電線に発生する応力は、電線と端子との接続部分に外力として作用する。
【０００７】
図１０の端子収容部８２の場合、端子８４を長手方向で支持する内壁面８８が電線保持部材９２と反対側（図１０の右側）に設けられている。このため、例えば、電線８６が点線で示すように大きく湾曲されると、端子８４は、電線８６に発生する応力によって端子収容部８２の内側、つまり、電線保持部材９２側へ押し付けられる。このため、端子８４に傾きやガタつきが生じるおそれがある。
【０００８】
また、このように端子８４が電線８６に押し付けられると、端子８４に圧着された電線８６に板状部材８５から引き離す方向の外力が作用する。このため、電線８６の一部に過剰な負荷（応力）が集中し、電線８６を痛めるおそれがある。
【０００９】
本発明は、このような問題に鑑みてなされたものであり、端子を安定に保持するとともに、電線に負荷が集中するのを抑制することを課題とする。
【課題を解決するための手段】
【００１０】
上記課題を解決するため、本発明のコネクタは、電線がそれぞれ接続された複数の端子をそれぞれ収容する複数の端子収容部が並べて形成されたハウジングを有し、端子は、電線が一端に圧着接続される圧着部を有する板状部と、該板状部の他端部に相手端子が接触される接点部とを有して形成され、ハウジングは、複数の前記電線がそれぞれ引き出される複数の前記端子収容部の開口位置のハウジング側面に、端子の板状部の延在方向と交差する方向に張り出して複数の電線を結束して保持する電線保持部材が形成され、端子収容部は、それぞれ電線保持部材側に位置された内壁面を有し、該内壁面に端子の板状部の電線の背面側が接して配置され、端子を挟んで内壁面の反対側の壁面に支持され、端子に係合して抜け止めする弾性を有するランスを有してなり、端子に接続された電線は、端子収容部の開口から端子の板状部の延在方向に沿って引き出され、電線保持部材の方向に折り曲げて配索されていることを特徴とする。
【００１１】
これによれば、折り曲げられた電線による外力が端子に作用し、端子が電線保持部材側に押し付けられたとしても、端子の電線保持部材側には、板状部材と接する内壁面が設けられるから、端子を内壁面によって安定に保持することができる。また、このように折り曲げられた電線による外力が端子に作用したとしても、端子に圧着された電線には、板状部材を押し付ける方向の外力が作用するに過ぎないから、電線に負荷が集中するのを抑制することができる。
【００１２】
ここで、電線保持部材は、その長手方向に電線が配索された状態で、円筒状のコルゲートチューブが被せられ、コルゲートチューブの内周面は、環状の山部と環状の谷部とが軸方向に交互に形成されてなり、電線保持部材は、長手方向と直交する断面が半円弧状に形成され、その先端部には幅方向の両側縁から突出する係止突起が設けられ、係止突起は、コルゲートチューブの谷部と係合可能に形成されてなるものとする。
【００１３】
これによれば、コルゲートチューブの内周面の谷部に係止突起を係合させることで、電線保持部材にコルゲートチューブを係止させることができる。したがって、コルゲートチューブを電線保持部材に固定する作業（コルゲートチューブの外周面にテープを巻き付ける作業）において、コルゲートチューブの位置ずれや、コルゲートチューブが電線保持部材から脱落するのを防ぐことができる。また、電線保持部材は、断面が半円弧状に形成され、コルゲートチューブの内周面と周方向で当接されるから、コルゲートチューブの外周面にテープを巻き付ける作業を効率よく行うことができる。
【００１４】
また、この場合において、係止突起は、ハウジングと反対側の側面に、係止突起の突出する先端側を窄ませる斜面部が形成されてなるものとする。
【００１５】
これによれば、電線保持部材がコルゲートチューブに挿入される際に、係止突起の斜面部をコルゲートチューブの内周面と接触させることができるから、コルゲートチューブの装着性を高めるとともに、係止突起がコルゲートチューブの内周面と強く接することによるコルゲートチューブの損傷を防ぐことができる。
【００１６】
また、ハウジング端面の周縁には、段部が突出して設けられ、この段部は、開口端よりも下方に位置されたとき、この段部の上方に位置する側面に第１の傾斜面が形成され、第１の傾斜面は、この傾斜面の一端に向かって下方に傾斜してなるものとする。
【００１７】
これによれば、結露等でハウジング端面に水滴が付着した場合、ハウジング端面に沿って段部に流下した水滴は、第１の傾斜面に沿って流れ落ち、一端から排水される。これにより、ハウジング端面に水滴が溜まるのを抑制することができるから、開口端からハウジングに水滴が侵入するのを防止し、端子間のショートを防ぐことができる。
【００１８】
また、電線保持部材は、ハウジング端面から立ち上げられる基端部と、この基端部から端子収容部と交差する方向に延出する配索部とを有して形成され、配索部を水平方向に向けたとき、基端部の上方に位置する側面に第２の傾斜面が形成され、第２の傾斜面は、この傾斜面の一端に向かって下方に傾斜してなるものとする。
【００１９】
これによれば、第１の傾斜面と同様、ハウジング端面に付着した水滴を第２の傾斜面に沿って排水することができるから、端子間のショートを防ぐことができる。
【発明の効果】
【００２０】
本発明によれば、端子をより安定に保持するとともに、電線に負荷が集中するのを抑制することができる。
【図面の簡単な説明】
【００２１】
【図１】本発明が適用されるコネクタと相手側コネクタとの嵌合前の外観斜視図である。
【図２】本発明が適用されるコネクタの背面斜視図である。
【図３】本発明が適用されるコネクタに端子を収容した状態を示す断面図である。
【図４】電線束を折り曲げて電線保持部材に配索する動作を説明する図である。
【図５】電線保持部材に電線束が固定された状態を示す図である。
【図６】電線保持部材にコルゲートチューブを装着した状態を示す断面図である。
【図７】電線保持部材にコルゲートチューブを装着する動作を説明する図である。
【図８】ハウジング端面の背面斜視図である。
【図９】ハウジング端面の水の流れを説明する図である。
【図１０】従来のコネクタの断面図である。
【発明を実施するための形態】
【００２２】
図１は本発明が適用されたコネクタ１１と相手側コネクタ１２との嵌合前の状態を表した斜視図である。図１の矢印Ｘは、コネクタの嵌合方向、及び、前後方向（紙面の手前側を前方とする）を示し、矢印Ｙは、コネクタの幅方向（左右方向）を示し、矢印Ｚは、コネクタの高さ方向を示す。これらの定義は、他の図面においても適用する。なお、図１では、コネクタ１１のみ組付前の分解斜視図として表し、相手側コネクタ１２は組付後の状態を表している。
【００２３】
コネクタ１１（以下、雌コネクタ１１という。）は、樹脂製の雌ハウジング１３と、電線１４が接続された雌端子１５と、ＣＰＡ１６（嵌合保証ロック）とを有している。雌ハウジング１３は、直方体状をなして前方に開口する有底の箱型に形成され、４枚のコネクタ側壁１７ａ〜１７ｄと、これらの後方の端面と連なる平板状のハウジング端面１８とを有している。コネクタ側壁１７ａ〜１７ｄの内側には、ハウジング端面１８から前方に向かって延出するとともに角筒状に形成された雌サブコネクタ１９が上下左右の複数個所に設けられる。雌サブコネクタ１９には、それぞれ電線１４が接続された雌端子１５を収容する複数の雌端子収容部２０が前後方向に形成され、ハウジング端面１８の後方から雌端子１５が挿入されるようになっている。なお、本実施形態の雌サブコネクタ１９は、雌ハウジング１３と一体形成されているが、別体として形成して雌ハウジング１３に組付可能になっていてもよい。
【００２４】
相手側コネクタ１２（以下、雄コネクタ１２という。）は、樹脂製の雄ハウジング２１と、電線２２が接続された雄端子（図示せず）とを有している。雄ハウジング２１は、直方体状をなして後方に開口する有底の箱型に形成される。雄コネクタ１２の内部には、雌サブコネクタ１９と対応する位置に図示しない雄サブコネクタが設けられる。雄サブコネクタには、それぞれ電線２２が接続された雄端子を収容する複数の雄端子収容部２３が前後方向に形成され、前方から雄端子が挿入されるようになっている。
【００２５】
雄コネクタ１２と雌コネクタ１１との嵌合時において、雌ハウジング１３は、雄ハウジング１２の内側に嵌入され、図示しない雄端子がそれぞれ対応する雌端子１５と電気的に接続されるようになっている。本実施形態では、雌コネクタ１１が雄コネクタ１２の正規の位置まで嵌入されると、両コネクタにＣＰＡ１６が装着可能となる。ＣＰＡ１６は、雌ハウジング１３の後方から雌ハウジング１３の上部の第１係合部２４に挿入され、雄ハウジング２１の上部の第２係合部２５と係合される。雌コネクタ１１と雄コネクタ１２は、ＣＰＡ１６が装着されることで、互いに正規の嵌合状態であることが保障される。
【００２６】
図２に雌コネクタ１１を背面（後方）からみた外観を示す。ハウジング端面１８には、雌端子収容部２０の出入り口となる複数の開口端２６が形成され、雌端子１５と接続された電線１４が各開口端２６から引き出される。ハウジング端面１８の周縁には、段差部２７と指あて部２８,２９とがそれぞれ突出して形成される。段差部２７は、断面が台形状に形成され、ハウジング端面１８の上部に設けられる。段差部２７には、複数の開口端２６が形成される。指あて部２８，２９は、ハウジング端面１８の左右の側縁部に沿って設けられ、それぞれ雌ハウジング１３の側面部３０から張り出して形成される。
【００２７】
また、雌コネクタ１１には、後述するように、束ねた電線１４を保持するための電線保持部材３１が設けられる。電線保持部材３１は、ハウジング端面１８側に位置され、側面部３０から雌端子収容部２０と交差する方向に張り出して形成され、詳しくは、ハウジング端面１８及び側面部３０と連ねられ、ハウジング端面１８から斜め後方に立ち上がる基端部３２と、基端部３２から雌端子収容部２０とほぼ直交する方向に延出する配索部３３とを有して形成される。配索部３３には、電線１４を配索する配索面３４が形成される。
【００２８】
図３に雌コネクタ１１の雌端子収容部２０に雌端子１５が収容された状態を示す。雌端子１５は、長手方向に延在して電線１４の端末部が載置される板状部材３５と、電線１４の被覆部を包み込むように圧着する第１圧着部３６と、電線１４の端末から露出された導体３７を包み込むように圧着する第２圧着部３８と、相手端子（雄端子）と接触する接点部３９とを有して形成される。第１圧着部３６と第２圧着部３８は、それぞれ板状部材３５の幅方向の両側縁より延出する一対の圧着片より形成される。接点部３９は、板状部材３５の長手方向の先端部に設けられ、板状部材３５の幅方向の両側縁より延出する一対の接点片を折り曲げて先端同士を重ね合わせることで、角筒状に形成される。接点部３９の内側は、雄端子が挿入される空間が形成され、挿入された雄端子をバネ機構により押圧することで、端子間の電気的な接続が可能になっている。
【００２９】
雌端子収容部２０は、雌サブコネクタ１９の内側に形成され、前後方向の両端が開口する直方体状の空間となっている。雌端子収容部２０には、雌端子１５が正規の位置まで挿入されたときに、雌端子１５の先端が当接してそれ以上の挿入を規制する、図示しない位置規制壁が設けられる。また、雌端子収容部２０には、この空間内に延出され、挿入された雌端子１５の接点部３９と係合し、雌端子１５が雌端子収容部２０から抜け出すのを防ぐためのランス４０が形成される。
【００３０】
このようにして形成される雌端子収容部２０に雌端子１５を挿入する場合、雌端子１５は、板状部材３５の電線１４が載置される面（第１圧着部３６、第２圧着部３７及び接点部３９が位置される側の面）が、雌端子収容部２０のランス４０を延出させる面４１と対向するように挿入する。雌端子１５は、雌端子１５の挿入経路に延出するランス４０を押し付け、弾性変形させながら挿入され、接点部３９がランス４０を乗り越えたところで、弾性復帰したランス４０が接点部３９の後端と係合される。これにより、雌端子１５は、前後方向の位置が規制されるとともに、板状部材３５の背面（電線１４が載置される面の裏側の面）が雌端子収容部２０の内壁面４２と接する状態となる。
【００３１】
本実施形態において、各雌端子収容部２０の内壁面４２は、いずれも電線保持部材３１側（図３の矢印）に位置される。言い換えると、各雌端子収容部２０に収容された雌端子１５は、板状部材３５に対して、電線保持部材３１と反対側に電線１４が配置される。例えば、図２の例で説明すると、各雌端子収容部２０は、いずれも上方に面４１が形成され、下方に内壁面４２が形成される。
【００３２】
次に、図４、５を参照して電線１４を電線保持部材３１に配索して固定する手順を説明する。図４に示すように、各開口端２６から抜き出された複数の電線１４は、電線保持部材３１が位置付けられる下方に折り曲げられる。これらの電線１４は、図４（ａ）に示すように、粘着テープ等の結束具４３で巻かれて固定され、１本の電線束４４に束ねられる。続いて、図４（ｂ）に示すように、電線束４４は、ハウジング端面１８から下方に延出する電線保持部材３１の配索面３４に配索される。配索面３４に配索された電線束４４は、図５に示すように、粘着テープ等の結束具４５により電線保持部材３１に巻き付けられて固定される。これにより、図５の各矢印方向に電線１４の引っ張り応力が発生したとしても、電線保持部材３１が弾性変形することで、電線１４にかかる張力が緩和され、雌端子１５との圧着部分にかかる応力を弱めることができる。
【００３３】
一方、雌端子収容部２０に収容された雌端子１５は、板状部材３５が長手方向に亘り電線保持部材３１側に設けられた雌端子収容部２０の内壁面４２と接する状態で保持される。そのため、例えば、図５の点線で示すように、電線１４が大きく湾曲したときの外力、つまり、雌端子１５を電線保持部材３１側に押し付ける外力が雌端子１５に作用したとしても、板状部材３５の背面側に位置する内壁面４２が電線保持部材３１側に設けられるから、雌端子１５にかかる外力を内壁面４２で吸収することができる。
【００３４】
このように、本実施形態では、雌端子１５に電線１４の外力が作用する場合、雌端子１５を内壁面４２に押し付けて保持することができるから、雌端子１５の傾きやガタつきの発生を抑制し、雌端子１５を安定して保持することができる。また、こうした電線１４の折り曲げによる外力が、電線１４の圧着部分（電線１４と第１圧着部３６との圧着部分、及び、導体３７と第２圧着部３８との圧着部分）に作用したとしても、これらの電線１４は、板状部材３５から離れる方向ではなく、板状部材３５を押し付ける方向に外力を受けるから、電線１４の一部に負荷が集中するのを抑制することができる。したがって、雄端子と雌端子１５との安定した接触状態を維持することができるから、コネクタの電気的な信頼性を高めることができる。
【００３５】
また、図５に示すように、本実施形態の雌コネクタ１１は、電線保持部材３１が側面部３０から斜めに立ち上がる基端部３２を有しているから、電線保持部材３１の配索面３４をハウジング端面１８の開口端２６から所望の距離だけ離した位置に設けることが容易になる。本実施形態では、例えば、電線１４の折り曲げにより雌端子１５にかかる外力が設定以下となるように、ハウジング端面１８と電線保持部材３１の配索面３４との前後方向の距離Ｌ１、及び、電線保持部材３１に最も近い位置の開口端２６の内壁面４２と電線保持部材３１の配索部３３の基部４６（基端部３２と配索部３３との境界）との上下方向の距離Ｌ２のうち少なくとも一方を設定する。
【００３６】
これによれば、電線１４の過剰な湾曲を防ぎ、電線１４の折り曲げにより雌端子１５にかかる外力を設定以下とすることができるから、雌端子１５を雌端子収容部２０でより安定に保持するができ、かつ、電線１４にかかる負荷の集中を抑制することができる。
【００３７】
次に、上記コネクタ１１の電線保持部材３１の構成について詳述する。図２に拡大して示すように、電線保持部材３１は、配索部３３の長手方向と直交する断面が半円弧状に形成され、その長手方向の先端部には、幅方向の両側縁からそれぞれ突出する係止突起４７が設けられる。係止突起４７は、配索部３３と半円弧状に連なって形成される。電線保持部材３１には、長手方向に配索された電線束４４とともに後述する樹脂製のコルゲートチューブが被せられる。
【００３８】
図６にコルゲートチューブ４８が装着された電線保持部材３１の断面を示す。コルゲートチューブ４８は、円筒状に形成され、電線束４４の配索自由度を確保しつつ外力等から電線束４４を保護するものである。コルゲートチューブ４８は、円筒状の両端の間に亘り、図示しないスリットを有して蛇腹状に形成され、自由に撓み変形が可能になっている。コルゲートチューブ４８の全長は、電線保持部材３１の配索部３３の長手方向の寸法よりも長く設定されている。コルゲートチューブ４８の内周面は、その内側に突出する環状の山部４９と、外側に突出する環状の谷部５０とが軸方向に交互に連続して形成される。
【００３９】
電線保持部材３１の係止突起４７は、図６に拡大して示すように、コルゲートチューブ４８が被せられたときに、コルゲートチューブ４８の谷部５０と係合可能に形成される。また、各係止突起４７には、雌ハウジング１３と反対側に位置する側面（下方の側面）に、係止突起４７の突出する先端側を窄ませる面取り状の斜面部５１が形成される。なお、斜面部５１は、各係止突起４７において、雌ハウジング１３側の側面（上方の側面）には設けられていない。
【００４０】
次に、コルゲートチューブ４８の取り付け手順を説明する。図７（ａ）に示すように、電線保持部材３１の配索面３４に電線束４４を載置した状態で、コルゲートチューブ４８のスリットを強制的に押し開き、開いたスリットより電線束４４をコルゲートチューブ４８に挿入する。続いて、コルゲートチューブ４８を電線保持部材３１側に移動させ、電線保持部材３１と電線束４４にコルゲートチューブ４８を被せる。こうして電線保持部材３１を長手方向に亘って包囲したコルゲートチューブ４８は、内周面の谷部５０に係止突起４７が係合されることで、電線保持部材３１と噛み合わされる（図６）。続いて、図７（ｂ）に示すように、コルゲートチューブ４８の外周面を粘着テープ等の結束具５２で巻き付ける。これにより、コルゲートチューブ４８は、電線保持部材３１と電線束４４とを収容した状態で電線保持部材３１に固定される。
【００４１】
本実施形態によれば、係止突起４７をコルゲートチューブ４８の内周面の谷部５０に係合させて、コルゲートチューブ４８を保持することができるから、コルゲートチューブ４８に結束具５２を巻き付ける際に、コルゲートチューブ４８が電線保持部材３１から脱落するのを防ぐことができ、コルゲートチューブ４８に結束具５２を巻き付ける際の作業効率を高めることができる。また、電線保持部材３１は、断面半円弧状に形成され、コルゲートチューブ４８の内周面と周方向で接触させることができるから、コルゲートチューブ４８の脱落をより効果的に抑制することができ、しかも、結束具５２を巻き付け易くして作業効率を高めることができる。
【００４２】
また、本実施形態によれば、係止突起４７の下方の側面に斜面部５１が形成されているから、電線保持部材３１をコルゲートチューブ４８に挿入する際には、斜面部５１がコルゲートチューブ４８の内周面と滑らかに接触する。これにより、コルゲートチューブ４８の装着性を高めるとともにコルゲートチューブ４８の損傷を防ぐことができる。なお、係止突起４７の上方の側面には、傾斜部５１が形成されていないため、コルゲートチューブ４８が、電線保持部材３１から容易に抜け出すことがない。
【００４３】
次に、上記コネクタ１１のハウジング端面１８の構成について詳述する。図８に示すように、ハウジング端面１８の周縁には、平坦面に形成された複数の開口端２６ａを取り囲むように、複数の段部、つまり、段差部２７と、指あて部２８，２９とが突出して設けられる。これらの段部は、従来からハウジング端面１８に設けられており、段差部２７は、雌端子１５の全長に応じて設けられた板状の突起であり、指あて部２８，２９は、雌コネクタ１１を着脱する際に雌コネクタ１１を把持する突起である。これらの段部は、ハウジング端面１８とともに雌ハウジング１３と一体形成されている。
【００４４】
段差部２７は、断面がほぼ台形状に突出して形成され、複数の開口端２６ｂが形成される。図８において、段差部２７の内向きの側面（複数の開口端２６ａを向いた側面）には、鉛直方向に対して鋭角の設定角度で傾斜する傾斜面５３が形成される。傾斜面５３は、段差部２７が複数の開口端２６ａよりも下方に位置されたとき、段差部２７の上方に位置する側面の両端に亘って設けられ、一端に向かって下方に傾斜して形成される。
【００４５】
指あて部２８は、断面が細長のほぼ三角状に突出して形成され、複数の開口端２６ａよりも下方に位置している。指あて部２８の上方に位置する側面（複数の開口端２６ａを向いた側面）には、その両端に向かって下方に傾斜する２つの傾斜面５４，５５が形成される。
【００４６】
また、指当て部２９は、断面が細長のほぼ三角状に突出して形成され、複数の開口端２６ａよりも上方に位置している。指あて部２８の下方に位置する側面（複数の開口端２６ａを向いた側面）には、その両端に向かって上方に傾斜する２つの傾斜面５６，５７が形成される。
【００４７】
これらの段部は、いずれも複数の開口端２６ａの下方に位置されたとき、段部の上方に位置する側面に、その両端の少なくとも一方に向かって傾斜する傾斜面（第１の傾斜面）を有している。また、ハウジング端面１８は、これらの段部に囲まれた面が平坦になっている。このため、結露等でハウジング端面１８に水滴が付着した場合、水滴は自重によりハウジング端面１８に沿って流れ落ちる。そして、下方に位置する段部の傾斜面に流れ落ちた水滴は、段部の傾斜面に沿って一端側より排水される。これによれば、ハウジング端面１８に付着した水を自然と取り除くことができ、ハウジング端面１８に水が溜まるのを防ぐことができるから、開口端２６より水が侵入することによる、雌端子１５同士のショートを確実に防ぐことができる。
【００４８】
また、上記の段部とともに、あるいは、段部に代えて、以下の構造を採用することもできる。図８に示すように、電線保持部材３１は、配索部３３の長手方向を水平方向に向けたとき、ハウジング端面１８から立ち上がる基端部３２の上方に位置する側面に傾斜面５８（第２の傾斜面）が形成される。傾斜面５８は、その一端に向かって下方に傾斜して形成される。なお、電線保持部材３１には、基端部３２の下方に位置する側面にも同様の傾斜面５８が形成される。
【００４９】
これによれば、例えば、電線保持部材３１を水平方向に向けて配置したときに、ハウジング端面１８に付着した水滴は、自重により傾斜面５８に流れ落ち、傾斜面５８に沿って一端側より排水される。このように構成しても、上記の段部と同様、ハウジング端面１８に水が溜まるのを防ぐことができるから、雌端子１５同士のショートを防ぐことができる。
【００５０】
図９に上記の各傾斜面５３〜５８が形成されたハウジング端面１８の水の流れを示す。図の（ａ）と（ｂ）は、互いに１８０℃回転させた関係にあり、矢印は水の流れ方向を示す。このようにハウジング端面１８を上下方向で反転させて配置しても、ハウジング端面１８を流れ落ちた水は、各傾斜面５３〜５８に沿って流れ、ハウジング端面１８の外側（側面部３０等）に排水される。
【００５１】
なお、図９に示すように、段差部２７には、傾斜面５３に加えて、傾斜面５３の両端とそれぞれ連なる側面に、水平方向に対して鋭角の傾斜面５９，６０を形成してもよい。
【００５２】
以上、本発明の実施形態を図面により詳述してきたが、上記の実施形態は本発明の例示にしか過ぎないものであり、本発明は上記の実施形態の構成にのみ限定されるものではない。本発明の要旨を逸脱しない範囲の設計の変更などがあっても、本発明に含まれることは勿論である。
【００５３】
例えば、上述した実施形態においては、本発明を雌コネクタ１１に適用する例を説明したが、同様の構成を雄コネクタ１２に適用してもよい。
【符号の説明】
【００５４】
１１  コネクタ（雌コネクタ）
１２  相手側コネクタ（雄コネクタ）
１３  雌ハウジング
１４  電線
１５  雌端子
１８  ハウジング端面
２６  開口端
２７  段差部
２８，２９  指あて部
３０  側面部
３１  電線保持部材
３２  基端部
３３  配索部
３５  板状部材
３９  接点部
４２  内壁面
４４  電線束
４７  係止突起
４８  コルゲートチューブ
４９  山部
５０  谷部
５１  斜面部
５３〜５８  傾斜面
【図１】
0006448925.tif 000002
【図２】
0006448925.tif 000003
【図３】
0006448925.tif 000004
【図４】
0006448925.tif 000005
【図５】
0006448925.tif 000006
【図６】
0006448925.tif 000007
【図７】
0006448925.tif 000008
【図８】
0006448925.tif 000009
【図９】
0006448925.tif 000010
【図１０】
0006448925.tif 000011